(57)【要約】【課題】テントの２本以上の隣接脚に取付けることができるテント用天幕組立体を提供する。【解決手段】テントの２つ以上の隣接脚に着脱可能に取付けられるテント用天幕組立体を有する組立て形テント。天幕組立体は、下向き垂直位置と、上向き垂直位置と、これらの下向き垂直位置と上向き垂直位置との間の中間水平位置とに移動でき、天幕が、日陰を作りかつ掲示板ホルダとして機能することを可能にする。【選択図】図４
2008520872.tif 000002
【特許請求の範囲】
【請求項１】
上方フレームワークを備えたキャノピー部分と、上方フレームワークを支持する少なくとも２本の隣接脚と、該少なくとも２本の隣接脚に着脱可能に取付けることができる天幕とを有するテント用の天幕組立体において、
左右の天幕支持アームを有し、各天幕支持アームは遠位端部分および近位端部分を備えた細長ロッド部分を有し、近位端部分は、天幕支持アームを、テントの対応する１本の脚に枢着する手段を備え、
左右の天幕支持アームに着脱可能に取付けられる天幕日陰部分を更に有し、左右の天幕支持アームおよび天幕日陰部分は、下向き垂直位置と上向き垂直位置との間で移動できることを特徴とする天幕組立体。
【請求項２】
前記左右の天幕支持アームおよび天幕日陰部分は、前記下向き垂直位置と上向き垂直位置との間の中間水平位置に移動できることを特徴とする請求項１記載の天幕組立体。
【請求項３】
前記天幕日陰部分は、左右の天幕支持アームをそれぞれ受入れるための左側スリーブおよび右側スリーブを有していることを特徴とする請求項１記載の天幕組立体。
【請求項４】
前記天幕日陰部分は対向する平側部を有し、天幕日陰部分は更に、掲示板を天幕日陰部分の１つの平側部に取付ける手段を有していることを特徴とする請求項１記載の天幕組立体。
【請求項５】
前記掲示板を取付ける手段は、天幕日陰部分の１つの平側部に取付けられた透明プラスチック材料のシートで形成された袋状部からなり、該袋状部は、ディスプレイすべき掲示板を受入れる開口を備えていることを特徴とする請求項４記載の天幕組立体。
【請求項６】
前記天幕日陰部分は、該天幕日陰部分をテントに固定できる少なくとも１つのファスナストラップを有していることを特徴とする請求項１記載の天幕組立体。
【請求項７】
前記細長ロッド部分の近位端は、テントの１つの脚に着脱可能に連結できる脚コネクタ部分を備えた連結ブラケットと、細長ロッド部分の近位端が枢着される調節可能な枢着部分とを有していることを特徴とする請求項１記載の天幕組立体。
【請求項８】
前記細長ロッド部分の近位端部分は、前記調節可能な枢着部分に枢着された円筒状枢動部材を有していることを特徴とする請求項７記載の天幕組立体。
【請求項９】
前記連結ブラケットは、第一ジャーナルアームと、第二ジャーナルアームと、第一ジャーナルアームと第二ジャーナルアームとの間で垂直に延びている中央ストラットとを有し、第一ジャーナルアームは、中央ストラットに関して一方の側の第一端部と、ストラットに関して反対側の第二端部とを備え、第二ジャーナルアームは、中央ストラットに関して第一ジャーナルアームの第一端部と同じ側の第一端部と、中央ストラットに隣接して終端している第二端部とを備え、円筒状枢動部材は第一ジャーナルアームと第二ジャーナルアームとの間に枢着されていることを特徴とする請求項８記載の天幕組立体。
【請求項１０】
前記第一ジャーナルアームは、第一端部および第二端部を備えたロッキングアームを有し、第一端部は第一ジャーナルアームの第二端部に枢着されており、第二端部は第二ジャーナルアームの第二端部に着脱可能に連結できることを特徴とする請求項９記載の天幕組立体。
【請求項１１】
前記ロッキングアームの第二端部は、ロッキングアームの第二端部から突出した舌部材を有し、第二ジャーナルアームの第二端部は、舌部材を受入れる対応スロットを有していることを特徴とする請求項１０記載の天幕組立体。
【請求項１２】
前記舌部材は第一孔を有し、第二ジャーナルアームの第二端部は第二孔を有し、該第二孔は、舌部材が前記スロット内に受入れられたときに第一孔と整合し、これによりロッキングアームは、該ロッキングアームの第二端部を第二ジャーナルアームに連結する閉位置にロックされることを特徴とする請求項１１記載の天幕組立体。
【請求項１３】
前記第二ジャーナルアームの第二端部の第二孔と、舌部材の第一孔とが整合されたときに、第一孔および第二孔を通して挿入できるねじ付ロッキングピンを更に有していることを特徴とする請求項１２記載の天幕組立体。
【請求項１４】
前記ロッキングアームはロッキングタブが形成される内面を有し、ロッキングタブは、コラプシブルテントの対応脚の所望位置に形成された対応天幕取付け孔内に受入れられることができることを特徴とする請求項１０記載の天幕組立体。
【請求項１５】
前記調節可能な枢着部分はハンドルを備えたクランピング機構を有し、ハンドルは、第一ジャーナルアームの孔を通って円筒状枢動部材に螺合されて該枢動部材を所望位置にクランプできる連結軸を有することを特徴とする請求項９記載の天幕組立体。
【請求項１６】
上方フレームワークを備えたキャノピー部分および上方フレームワークを支持する少なくとも２本の隣接脚を備えたテントと、該テントの少なくとも２本の隣接脚に着脱可能に取付けられる天幕組立体との組合せにおいて、
左右の天幕支持アームを有し、各天幕支持アームは細長ロッド部分を備え、該細長ロッド部分は、遠位端部分と、天幕支持アームをテントの対応する１つの脚に枢着する手段を備えた近位端部分とを備え、
左右の天幕支持アームに着脱可能に取付けられる天幕日陰部分を更に有し、左右の天幕支持アームおよび天幕日陰部分は、下向き垂直位置と上向き垂直位置との間で移動できることを特徴とするテントと天幕組立体との組合せ。
【請求項１７】
前記左右の天幕支持アームおよび天幕日陰部分は、下向き垂直位置と上向き垂直位置との間の中間水平位置に移動できることを特徴とする請求項１６記載の組合せ。
【請求項１８】
前記天幕日陰部分は、前記左右の天幕支持アームをそれぞれ受入れる左側スリーブおよび右側スリーブを有することを特徴とする請求項１６記載の組合せ。
【請求項１９】
前記天幕日陰部分は対向する平側部を有し、天幕日陰部分は、掲示板を天幕日陰部分の平側部の１つに取付ける手段を有していることを特徴とする請求項１６記載の組合せ。
【請求項２０】
前記掲示板取付け手段は、天幕日陰部分の平側部の１つに取付けられる透明プラスチック材料のシートで形成された袋状部からなることを特徴とする請求項１９記載の組合せ。
【請求項２１】
前記天幕日陰部分は、天幕日陰部分をテントに固定できる少なくとも１つのファスナストラップを有していることを特徴とする請求項１６記載の組合せ。
【請求項２２】
前記細長ロッド部分の近位端部分は、テントの１つの脚に着脱可能に連結される脚コネクタ部分を備えた連結ブラケットと、細長ロッド部分の近位端が枢着される調節可能な枢着部分とを有することを特徴とする請求項１６記載の組合せ。
【請求項２３】
前記細長ロッド部分の近位端部分は、調節可能な枢着部分に枢着された円筒状枢動部材を有することを特徴とする請求項２２記載の組合せ。
【請求項２４】
前記連結ブラケットは、第一ジャーナルアームと、第二ジャーナルアームと、第一ジャーナルアームと第二ジャーナルアームとの間で垂直に延びている中央ストラットとを有し、第一ジャーナルアームは、中央ストラットに関して一方の側の第一端部と、ストラットに関して反対側の第二端部とを備え、第二ジャーナルアームは、中央ストラットに関して第一ジャーナルアームの第一端部と同じ側の第一端部と、中央ストラットに隣接して終端している第二端部とを備え、円筒状枢動部材は第一ジャーナルアームと第二ジャーナルアームとの間に枢着されていることを特徴とする請求項２３記載の組合せ。
【請求項２５】
前記第一ジャーナルアームは、第一端部および第二端部を備えたロッキングアームを有し、第一端部は第一ジャーナルアームの第二端部に枢着されており、第二端部は第二ジャーナルアームの第二端部に着脱可能に連結できることを特徴とする請求項２４記載の組合せ。
【請求項２６】
前記ロッキングアームの第二端部は、ロッキングアームの第二端部から突出した舌部材を有し、第二ジャーナルアームの第二端部は、舌部材を受入れる対応スロットを有していることを特徴とする請求項２５記載の組合せ。
【請求項２７】
前記舌部材は第一孔を有し、第二ジャーナルアームの第二端部は第二孔を有し、該第二孔は、舌部材が前記スロット内に受入れられたときに第一孔と整合し、これによりロッキングアームは、該ロッキングアームの第二端部を第二ジャーナルアームに連結する閉位置にロックされることを特徴とする請求項２６記載の組合せ。
【請求項２８】
前記第二ジャーナルアームの第二端部の第二孔と、舌部材の第一孔とが整合されたときに、第一孔および第二孔を通して挿入できるねじ付ロッキングピンを更に有していることを特徴とする請求項２７記載の組合せ。
【請求項２９】
前記ロッキングアームはロッキングタブが形成される内面を有し、ロッキングタブは、コラプシブルテントの対応脚の所望位置に形成された対応天幕取付け孔内に受入れられることができることを特徴とする請求項２５記載の組合せ。
【請求項３０】
前記調節可能な枢着部分はハンドルを備えたクランピング機構を有し、ハンドルは、第一ジャーナルアームの孔を通って円筒状枢動部材に螺合されて該枢動部材を所望位置にクランプできる連結軸を有することを特徴とする請求項２４記載の組合せ。
【発明の詳細な説明】
【技術分野】
【０００１】
本発明は、広くは折畳み可能なコラプシブル構造体に関し、より詳しくは、上方フレームワークを備えたキャノピー（天蓋）部分と、該キャノピー部分を支持する少なくとも２本の脚とを有するテント（shelter）用天幕（awning）組立体であって、少なくとも２本の隣接脚に着脱可能に取付けられる天幕組立体に関する。
【背景技術】
【０００２】
容易に運搬できかつ緊急場所に迅速に設置できる仮テントは、応急処置および収容を行うのに特に有効である。このようなテントはまた、軍用臨時郵便局、実地見学旅行等の非危険野外集会にも有効である。日陰を作りかつ掲示板（signage）用ホルダとして機能すべく種々の位置に移動できる多目的天幕を備えた改善されたコラプシブルテントを提供することが望まれている。また、既存のテントに取付けることができかつ日陰を作りかつ掲示板ホルダとして機能すべく種々の位置に移動できるモジュラ多目的天幕を提供することも望まれている。本発明は、これらの要望および他の要望を満たすものである。
【０００３】
【特許文献１】米国特許第５，４９０，５３３号明細書
【発明の開示】
【発明が解決しようとする課題】
【０００４】
簡単かつ概略的に云えば、本発明は、テントの２本以上の隣接脚に取付けることができるテント用天幕組立体を提供する。天幕は、下向き垂直位置と上向き垂直位置との間で移動でき、かつ天幕が日陰を作りかつ掲示板ホルダとして機能できるように下向き垂直位置と上向き垂直位置との間の中間水平位置に移動できるように、着脱可能に取付けられる。
【課題を解決するための手段】
【０００５】
従って本発明は、上方フレームワークを備えたキャノピー部分と、該キャノピー部分を支持する２本以上の隣接脚とを有し、天幕がテントの２本以上の隣接脚に着脱可能に取付けることができる構成テント用天幕組立体を提供する。本発明はまた、テントと天幕組立体との組合せを提供する。
天幕組立体は、左右の天幕支持アームを有し、各天幕支持アームは、該天幕支持アームを、テントの対応する１本の脚に枢着する近位端部分を備えた細長ロッド部分を有し、左右の天幕支持アームに着脱可能に取付けられる天幕日陰部分（awing shade portion）を更に有する。左右の天幕支持アームおよび天幕日陰部分は、下向き垂直位置と上向き垂直位置との間で移動できることが有利であり、本発明の好ましい実施形態では、下向き垂直位置と上向き垂直位置との間の中間水平位置に移動できる。
【０００６】
好ましい態様では、天幕日陰部分は、左右の天幕支持アームをそれぞれ受入れるための左側スリーブおよび右側スリーブを有している。本発明の好ましい実施形態では、天幕日陰部分は対向する平側部を有し、天幕日陰部分は更に、掲示板（banner）を天幕日陰部分の１つの平側部に取付ける手段を有している。他の好ましい実施形態では、掲示板を取付ける手段は、天幕日陰部分の１つの平側部に取付けられた透明プラスチック材料のシートで形成された袋状部からなり、該袋状部は、ディスプレイすべき掲示板を受入れる開口を備えている。天幕日陰部分は、該天幕日陰部分をテントに固定できる少なくとも１つのファスナストラップを有している。
【０００７】
細長ロッド部分の近位端は、テントの１つの脚に着脱可能に連結できる脚コネクタ部分を備えた連結ブラケットと、細長ロッド部分の近位端が枢着される調節可能な枢着部分とを有している。好ましい態様では、細長ロッド部分の近位端部分は、前記調節可能な枢着部分に枢着された円筒状枢動部材を有している。他の好ましい態様では、連結ブラケットは、第一ジャーナルアームと、第二ジャーナルアームと、第一ジャーナルアームと第二ジャーナルアームとの間で垂直に延びている中央ストラットとを有し、第一ジャーナルアームは、中央ストラットに関して一方の側の第一端部と、ストラットに関して反対側の第二端部とを備え、第二ジャーナルアームは、中央ストラットに関して第一ジャーナルアームの第一端部と同じ側の第一端部と、中央ストラットに隣接して終端している第二端部とを備え、円筒状枢動部材は第一ジャーナルアームと第二ジャーナルアームとの間に枢着されている。
【０００８】
第一ジャーナルアームは、第一端部および第二端部を備えたロッキングアームを有し、第一端部は第一ジャーナルアームの第二端部に枢着されており、第二端部は第二ジャーナルアームの第二端部に着脱可能に連結できる。ロッキングアームの第二端部は、ロッキングアームの第二端部から突出した舌部材を有し、第二ジャーナルアームの第二端部は、舌部材を受入れる対応スロットを有している。舌部材は第一孔を有し、第二ジャーナルアームの第二端部は第二孔を有し、該第二孔は、舌部材が前記スロット内に受入れられたときに第一孔と整合し、これによりロッキングアームは、該ロッキングアームの第二端部を第二ジャーナルアームに連結する閉位置にロックされる。第二ジャーナルアームの第二端部の第二孔と、舌部材の第一孔とが整合されたときに、ねじ付ロッキングピンが、第一孔および第二孔を通して挿入できる。ロッキングアームはロッキングタブが形成される内面を有し、ロッキングタブは、コラプシブルテントの対応脚の所望位置に形成された対応天幕取付け孔内に受入れられることができる。
本発明の他の好ましい実施形態では、調節可能な枢着部分はハンドルを備えたクランピング機構を有し、ハンドルは、第一ジャーナルアームの孔を通って円筒状枢動部材に螺合されて該枢動部材を所望位置にクランプできる連結軸を有している。
【発明を実施するための最良の形態】
【０００９】
本発明の他の特徴および長所は、本発明の作動を例示する添付図面を参照して述べる好ましい実施形態についての以下の詳細な説明から明らかになるであろう。
図１に示すように、従来技術のコラプシブルテント１０のようなテントは、３つ以上の側面１４を備えたキャノピー部分１２と、３つ以上のコーナ１６とを有している。このような従来技術のコラプシブルテント１０は、一般に、４つの側面１４と、４つのコーナ１６とを有している。一般に、各コーナ１６には、キャノピー１２を支持するための脚１８が設けられている。一般に周辺トラスフレームワークと中央トラスフレームワークとを備えたコラプシブルフレームワーク２０は、脚１８に連結されて、コラプシブルテントを安定化しかつ支持する。
【００１０】
図２−図４に示すように、本発明は、３つ以上の側面３４および３つ以上のコーナ３６を備えたキャノピー部分３２を有するコラプシブルテントのようなテント３０を提供する。本発明の好ましい実施形態では、コラプシブルテントは、４つの側面３４および４つのコーナ３６を有している。キャノピー部分３２は、軽量で容易に運搬できるように一般にナイロンファブリックで形成されたキャノピーカバー３３を有しているが、キャノピー部分３２は、キャンバスまたは他の種類の布ファブリックまたはプラスチック等の他の同様なシート材料で作ることができる。一般に、各コーナ３６には、キャノピーを支持するための脚３８が設けられている。本願に援用する上記特許文献１に開示されているように、キャノピー部分３２はまた、周辺トラスフレームワークおよび中央トラスフレームワークを備えたコラプシブルフレームワーク４０を有し、該フレームワーク４０は脚３８に連結されて、コラプシブルテント３０を安定化させかつ支持する。
【００１１】
図２−図４に示すように、本発明はまた、コラプシブルテント３０の２つの隣接脚３８に取付けることができる三方天幕４２を提供する。三方天幕４２は、ひとたびコラプシブルテントの脚に取付けられると、図２に示す下向き垂直位置４４と、図４に示す上向き垂直位置４６との間で移動できる。天幕４２はまた、図３に示す中間水平位置４８に移動することもできる。
【００１２】
図５に示すように、天幕４２は、一般に全体として長方形の天幕日陰部分（awning shade portion）５０を有し、該天幕日陰部分５０は、外側側部５２および内側側部５４に沿う長さと、左側側部５６および右側側部５８に沿う幅とを有している。内側側部５４または左側側部５６または右側５８には、天幕日陰部分５０をテントのフレームワークまたは脚に更に固定するための１つ以上のファスナストラップ５９を取付けることができる。ファスナストラップはフック／ループファスナで構成するのが好ましいが、例えばスナップまたはボタン等の他の形式のファスナを備えたストラップで構成することもできる。或いは、天幕日陰部分５０は、所望により、他の幾何学的形状または美術的形態にすることができる。一般に天幕日陰部分５０はキャノピーカバー３３の材料と同様なナイロンファブリックで作られるが、キャンバス等の１つ以上のプライからなる他の同様なシート材料で作ることもできる。一態様では、天幕日陰部分５０には、文字等をディスプレイする掲示板６２を、例えば袋状部（pouch）６６のような、天幕日陰部分５０の平側部６４に取付ける手段６０を設けるのが有利である。袋状部６６は、一般に、ディスプレイすべき掲示板を受入れるための袋状開口部の少なくとも１つの側部６８を残しておき、袋状部の少なくとも２つの側部が天幕日陰部分５０の平側部６４に取付けられた透明プラスチック材料のシートで形成される。天幕日陰部分５０にはまた、図５、図６Ａおよび図６Ｂに示す左側天幕支持アーム７４および右側天幕支持アーム７６を受入れるためのそれぞれ左側スリーブ７０および右側スリーブ７２を設けるのが有利である。左側天幕支持アーム７４および右側天幕支持アーム７６は細長ロッド部分７８を有し、該ロッド部分７８は、一般に保護キャップ８２で覆われた遠位端部８０を備えている。左右の天幕支持アーム７４、７６の各々の細長ロッド部分７８の近位端部８４は円筒状枢動部材８６に取付けられ、該枢動部材８６は、これらの近位端８８が、それぞれ左右の連結ブラケット９０、９２に枢着されており、これらは図７−図１１に示されている。
【００１３】
左右の連結ブラケット９０、９２は互いに実質的に鏡像関係をなして構成されており、従って右側支持アーム７６の連結ブラケット９２についてのみ詳細に説明する。図７に閉形態で示す右側支持アーム７６の連結ブラケット９２は、第一ジャーナルアーム９６と第二ジャーナルアーム９８との間（これらの間に円筒状枢動部材８６が枢着されている）で垂直に延びている中央ストラット９４を有している。第一ジャーナルアーム９６は、中央ストラット９４の一方の側に第一端部１００を有し、ストラット９４の反対側に第二端部１０２を有している。第二ジャーナルアーム９８は、中央ストラット９４に関して第一ジャーナルアーム９６の第一端部と同じ側の第一端部１０４と、中央ストラット９４に隣接して終端する第二端部１０６とを有している。クランピング機構１０８は、全体として円形のハンドルすなわちダイヤル１１０と、中心軸１１２とを有しており、該中心軸１１２は、孔を通して円筒状枢動部材８６に螺合されており、脚３８から延びる右側支持体が下向き突出垂直位置、上向き突出垂直位置または水平中間位置のような中間位置に位置決めされるように、円筒状枢動部材８６を所望位置にクランプすることができる。右側連結ブラケット９２はまたロッキングアーム１１６を有し、該ロッキングアーム１１５は、第一ジャーナルアーム９６の第二端部１０２に枢着された第一端部１１８と、第二ジャーナルアーム９８の第二端部１０６に着脱可能に連結できる第二端部１２０とを有している。
【００１４】
図１０および図１１に示すように、好ましい実施形態では、ロッキングアーム１１６の第二端部１２０は、該第二端部１２０から突出した舌部材１２２を有し、第二ジャーナルアーム９８の第二端部１０６は、舌部材１２２を受入れる対応溝すなわちスロット１２４を有している。舌部材１２２を通って孔１２６が延びている。該孔１２６は、舌部材１２２がスロット１２４内に受入れられたときに、第二ジャーナルアーム９８の第二端部１０６を通って延びている対応孔１２７と整合し、第二ジャーナルアーム９８の第二端部１０６の孔１２７および舌部材１２２の孔１２６にねじ付ロッキングピン１２８を挿入してロッキングアーム１１６の第二端部１２０を第二ジャーナルアーム９８に連結することにより、ロッキングアーム１１６を閉位置にロックできる。ねじ付ロッキングピン１２８の軸１３０は、その一端にヘッド１３２を有しかつ他端１３６には、第二ジャーナルアーム９８の第二端部１０６を通る孔１２７の対応雌ねじに螺合するねじ１３４を有している。ロッキングアーム１１６は、コラプシブルテントの脚３８の矩形形状に一致する直角部材であるのが好ましく、かつ内面１４０にはロッキングタブ１３８が設けられている。該ロッキングタブ１３８は、図１２に示すようにコラプシブルテント３０の脚３８の所望位置に形成された対応する天幕取付け孔１４２内に受入れられる。
【００１５】
かくして、連結ブラケット９２は、開形態で、連結ブラケット９２の中央ストラット９４をコラプシブルテント３０の脚３８に当接するように配置し、ロッキングタブ１３８をコラプシブルテントの脚３８の対応孔１４２に並置しかつ該孔１４２内に挿入した状態で連結ブラケット９２のロッキングアーム１１６を閉形態に枢動させ、ロッキングアーム１１６の舌部材１２２を第二ジャーナルアーム９８の対応スロット１２４内に配置し、かつねじ付ロッキングピン１２８を第二ジャーナルアーム９８の孔１２７および舌部材１２２の孔１２６に挿通して固定することによりコラプシブルテントの脚３８に取付けることができる。
【００１６】
かくして、テントの三方天幕は、一般にテントの周辺フレームワークの直ぐ下に配置されるテントの隣接脚に天幕取付け孔を設けることにより、設置されたコラプシブルテント等の直立テントの脚に取付けられる。左右の天幕支持アーム７４、７６は、テントから外方を向いた連結ブラケット９０、９２のクランピング機構のダイヤル１１０を用いて、テントの隣接脚に取付けるのが好ましい。連結ブラケット９０、９２を開形態で、連結ブラケットの中央ストラット９４を天幕取付け孔１４２とは反対側の位置で脚３８に当接させて配置し、ロッキングタブ１３８が天幕取付け孔１４２内に挿入させて、ロッキングアーム１１６を脚３８の回りで閉じる。次に、連結ブラケット９０、９２のロッキングピン１２８を連結ブラケットの対応孔１２６、１２７内に挿入し、ロッキングピン１２８を連結ブラケットの対応孔１２７内にねじ込むことによりロッキングアーム１１６が固定される。次に、天幕支持アーム７４、７６を中間水平位置まで回転させ、支持アームのクランピング機構のダイヤル１１０を回転して、支持アーム７４、７６を所定位置に固定する。次に、掲示板６２の袋状部６６が地面を向くようにして、支持アーム７４、７６上で天幕４２のスリーブ７０、７２を滑り込ませることにより、天幕ファブリックが支持アームに取付けられる。次に、天幕４２のファスナストラップ５９を、テントの周辺フレームワークまたは脚の適当な部分にループ掛けして固定することにより、天幕４２のファブリックをテントに更に固定できる。
【００１７】
テントの三方天幕４２がテントの脚に取付けられたならば、例えば天幕４２を垂直下方に向けて回転し、朝日または夕日から太陽光を遮断する付加日陰を作るか、垂直上方に向けて回転し、袋状部６６内に挿入された掲示板６２をディスプレイすることができる。支持アーム７４、７６のクランピング機構は、該機構のダイヤル１１０を反時計回り方向に回転することにより緩められる。次に、支持アーム７４、７６を所定位置まで下方または上方に回転し、ダイヤル１１０を回転することにより支持アームのクランピング機構が緊締される。掲示板に他の表示をディスプレイしたい場合には、天幕４２が中間水平位置にあるときに袋状部６６内に他の掲示板または表示を挿入し、その後に天幕を上方に回転するか、天幕が上向き垂直位置にあるときに掲示板または表示を袋状部６６内に挿入することもできる。
【００１８】
上記から、本発明の特定形態を説明したが、本発明の精神および範囲を逸脱することなく種々の変更をなし得ることは明白であろう。従って、本発明は、特許請求の範囲の記載による制限を除き、制限を受けるものではない。
【図面の簡単な説明】
【００１９】
【図１】従来技術によるコラプシブルテントを示す斜視図である。
【図２】本発明による三方天幕を備えたコラプシブルテントの斜視図であり、天幕が下向き垂直位置にあるところを示すものである。
【図３】本発明による三方天幕を備えたコラプシブルテントの斜視図であり、天幕が水平位置にあるところを示すものである。
【図４】本発明による三方天幕を備えたコラプシブルテントの斜視図であり、天幕が上向き垂直位置にあるところを示すものである。
【図５】図２の三方天幕を示す平面図である。
【図６Ａ】図５の三方天幕の左側支持アームを示す平面図である。
【図６Ｂ】図５の三方天幕の右側支持アームを示す平面図である。
【図７】図６Ａの左側支持アームの連結ブラケットが閉形態にあるところを示す平面図である。
【図８】図６Ｂの右側支持アームの連結ブラケットが閉形態にあるところを示す平面図である。
【図９】図６Ａの左側支持アームの連結ブラケットが閉形態にあるところを示す後面図である。
【図１０】図６Ｂの右側支持アームの連結ブラケットが閉形態にあるところを示す斜視図である。
【図１１】図６Ｂの右側支持アームの連結ブラケットが閉形態にあるところを示す他の斜視図である。
【図１２】コラプシブルテントの脚の天幕取付け孔を示す斜視図である。
【符号の説明】
【００２０】
３０  テント
３８  脚
４２  三方天幕
６２  掲示板
６６  袋状部
７４、７６  天幕支持アーム
９０、９２  連結ブラケット
９４  中央ストラット
９８  第二ジャーナルアーム
１１０  ダイヤル（ハンドル）
１１６  ロッキングアーム
１２８  ロッキングピン
１３８  ロッキングタブ
【図１】
2008520872.tif 000003
【図２】
2008520872.tif 000004
【図３】
2008520872.tif 000005
【図４】
2008520872.tif 000006
【図５】
2008520872.tif 000007
【図６Ａ】
2008520872.tif 000008
【図６Ｂ】
2008520872.tif 000009
【図７】
2008520872.tif 000010
【図８】
2008520872.tif 000011
【図９】
2008520872.tif 000012
【図１０】
2008520872.tif 000013
【図１１】
2008520872.tif 000014
【図１２】
2008520872.tif 000015
【国際調査報告】
2008520872.tif 000016
2008520872.tif 000017